【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
ａ）膜・電極接合体を備えた燃料電池、
ｂ）液体燃料を収容する燃料貯蔵器、
ｃ）燃料貯蔵器を燃料電池に接続する導管、及び
ｄ）複数の容量性炭素電極を有し、導管に接続される動電式燃料ポンプ
を備えた燃料電池システムであって、
動電式燃料ポンプは、燃料貯蔵器から導管を通って燃料電池に燃料を移動させ、且つ
動電式燃料ポンプの電極は、膜・電極接合体の性能に悪影響を与えない
燃料電池システム。
【請求項２】
ａ）導管に接続された混合チャンバ、及び
ｂ）燃料改質器
を更に備え、
動電式燃料ポンプが、導管、混合チャンバ、及び、燃料改質器を通って、貯蔵器から燃料電池に燃料を移動させる、請求項１に記載の燃料電池システム。
【請求項３】
燃料電池が電流を生成し、燃料電池システムが更に：
燃料電池によって生成された電流をモニタリングする電流モニタ、及び
電流モニタと動電式燃料ポンプとに接続されて、電流モニタによって検知された電流に基づいて動電式燃料ポンプの流量を制御するコントローラ
を更に備える、請求項１又は２に記載の燃料電池システム。
【請求項４】
ａ）膜・電極接合体を備えた燃料電池、
ｂ）液体燃料を収容する燃料貯蔵器、
ｃ）燃料貯蔵器を燃料電池に接続する導管、
ｄ）複数の電極を有し、導管に接続される動電式燃料ポンプ、
ｅ）燃料電池の燃料を攪拌するため、燃料電池内部に配置された複数の動電式攪拌ポンプ、
を更に備え、
動電式燃料ポンプが、燃料貯蔵器から導管を通って燃料電池に燃料を移動させる、燃料電池システム。
【請求項５】
燃料電池が電流を生成し、燃料電池システムが更に：
燃料電池によって生成された電流をモニタリングする電流モニタ、
電流モニタ、動電式燃料ポンプ、及び複数の動電式攪拌ポンプに接続されたコントローラ
を備え、
コントローラは、電流モニタによって検知された電流に基づいて、動電式燃料ポンプの流量と動電式攪拌ポンプの流量とを制御する、請求項４に記載の燃料電池システム。
【請求項６】
燃料電池の温度を感知する温度センサ、及び
温度センサと複数の動電式攪拌ポンプとに接続されたコントローラ
を更に備え、
コントローラは、温度センサによって感知された温度に基づいて、複数の動電式攪拌ポンプの流量を制御する、請求項４に記載の燃料電池システム。
【請求項７】
燃料電池によって生成された電流をモニタリングする電流モニタ、
燃料電池の温度を感知する温度センサ、及び
電流モニタ、温度センサ、動電式燃料ポンプ、及び複数の動電式攪拌ポンプに接続されたコントローラ
を更に備え、
コントローラは、電流モニタによって感知された電流と温度センサによって感知された温度とに基づいて、動電式燃料ポンプと複数の動電式攪拌ポンプとの内、少なくとも一つの流量を制御する、請求項４に記載の燃料電池システム。
【請求項８】
燃料電池が少なくとも一つのガス透過膜を更に備える、請求項１ないし７のいずれか１項に記載の燃料電池システム。
【請求項９】
燃料電池が、更に：
陽極と陰極を有する膜・電極接合体、及び
陰極において生成された反応生成物を陽極にポンピングするための動電式再循環ポンプ
を備える、請求項１ないし８のいずれか１項に記載の燃料電池システム。
【請求項１０】
陽極における燃料濃度を検知する濃度センサ、及び
濃度センサと動電式再循環ポンプとに接続されたコントローラ、
を更に備え、
コントローラは、濃度センサによって検知された濃度に基づいて、動電式再循環ポンプの流量を制御する、請求項９に記載の燃料電池システム。
【請求項１１】
陰極で生成された反応生成物を凝縮する凝縮器を更に備えた、請求項１０に記載の燃料電池システム。
【請求項１２】
燃料電池の内部に複数の熱伝導ポストを更に備えた、請求項１ないし１１のいずれか１項に記載の燃料電池システム。
【請求項１３】
燃料電池の内部に複数の熱伝導フィンを更に備えた、請求項１ないし１２のいずれか１項に記載の燃料電池システム。
【請求項１４】
燃料電池の外側表面と熱接触する複数の熱伝導フィンを更に備えた、請求項１ないし１３のいずれか１項に記載の燃料電池システム。
【請求項１５】
燃料電池が中心部に流路を有する円筒形に形成され、燃料が中心部の流路に沿って燃料電池に送達される、請求項１ないし１４のいずれか１項に記載の燃料電池システム。
【請求項１６】
燃料供給用の多岐管を用いて燃料が燃料電池に送達される、請求項１ないし１５のいずれか１項に記載の燃料電池システム。
【請求項１７】
燃料電池が外側に流路を有する円筒形に形成され、燃料が外側の流路に沿って燃料電池に送達される、請求項１ないし１４のいずれか１項に記載の燃料電池システム。
【請求項１８】
ａ）膜・電極接合体を備えた燃料電池、
ｂ）液体燃料を収容する燃料貯蔵器、
ｃ）燃料貯蔵器を燃料電池に接続する導管、
ｄ）複数の容量性炭素電極を有し、導管に接続される動電式燃料ポンプ、
ｅ）導管に接続された混合チャンバ、及び
ｆ）複数の電極を有し、燃料を混合することに適し、導管に接続された動電式混合ポンプ、
を備え、
動電式燃料ポンプは、導管の第一の部分を通って、燃料貯蔵器から混合チャンバに燃料を移動させ、
動電式混合ポンプは、導管の第二の部分を通って、混合チャンバから燃料電池に燃料を移動させ、且つ
動電式燃料ポンプの電極と動電式混合ポンプの電極は、膜・電極接合体の性能に悪影響を与えない燃料電池システム。
【請求項１９】
動電式混合ポンプが発振モードで動作する、請求項１８に記載の燃料電池システム。
【請求項２０】
動電式混合ポンプが更に複数の逆止め弁を備える、請求項１９に記載の燃料電池システム。
【請求項２１】
燃料を収容する燃料貯蔵器、
燃料貯蔵器を燃料電池に接続する導管、
複数の電極を有し、導管に接続される動電式燃料ポンプ、
燃料電池、
を備えた燃料電池システムであって、
燃料電池が、さらに、
貯蔵部と、  
陽極を有する膜・電極接合体と、
燃料電池の内部に設置された、燃料電池内の燃料を攪拌するための複数の動電式攪拌ポンプであって、更に各々が二つの外側の電極とそれら二つの外側電極に挟まれた一つの内部電極とを有する複数の動電式攪拌ポンプと、
を備え、
動電式燃料ポンプ電極は、燃料貯蔵器から導管を通って燃料電池に燃料を移動させ、且つ、
導電式燃料ポンプの電極と動電式撹拌ポンプの電極とは、膜・電極接合体の性能に悪影響を与えない、燃料電池システム。
【請求項２２】
複数の動電式攪拌ポンプそれぞれの外側電極の電位が、膜・電極接合体の陽極の電位に等しい、請求項２１に記載の燃料電池システム。
【請求項２３】
複数の動電式攪拌ポンプがバッテリによって駆動される、請求項２１又は２２に記載の燃料電池システム。
【請求項２４】
複数の動電式攪拌ポンプが分離された電源によって駆動される、請求項２１又は２２に記載の燃料電池システム。
【請求項２５】
ａ）  膜・電極接合体と貯蔵部とを有する燃料電池、
ｂ）  燃料を燃料電池に供給する燃料送達システム、及び
ｃ）  燃料電池内の燃料を攪拌するため、貯蔵部の内部に配置された複数の動電式攪拌ポンプ、
を備える燃料電池システム。
【請求項２６】
ａ）  互いに電気的に接続された複数の燃料電池、
ｂ）  液体燃料を収容する燃料貯蔵器、
ｃ）  各燃料電池と燃料貯蔵器とを接続する導管、及び
ｄ）  複数の容量性炭素電極を備え、導管に接続された動電式燃料ポンプ
を備え、
動電式燃料ポンプは、導管を通って燃料貯蔵器から複数の燃料電池に燃料を移動させ、且つ
動電式燃料ポンプの電極は、膜・電極接合体の性能に悪影響を与えない
燃料電池システム。
【請求項２７】
請求項１に記載の燃料電池システムを取得することと、
燃料電池が電流を生成するように、動電式燃料ポンプを使用して、燃料貯蔵器から燃料電池に燃料をポンピングすることと、
を含む発電方法。
【請求項２８】
請求項１に記載の燃料電池システムを取得することと、
動電式燃料ポンプを使用して、燃料貯蔵器から燃料電池に燃料をポンピングすることと、
電流を発生させるため、燃料電池内の膜・電極接合体に燃料を通過させることと、
を含む、発電方法。
【請求項２９】
燃料電池によって生成された電流をモニタリングすること、及び
燃料電池によって生成された電流に基づいて、燃料貯蔵器から燃料をポンピングする速度を制御すること
をさらに含む、請求項２８に記載の方法。
【請求項３０】
動電式燃料ポンプを用いて燃料貯蔵器から燃料電池に燃料をポンピングすることと、
電流を発生させるため、燃料電池内の膜・電極接合体に燃料を通過させることと、
動電式撹拌ポンプを用いて燃料電池内の燃料を撹拌することと、
を含む、発電方法。
【請求項３１】
動電式再循環ポンプを用いて、膜・電極接合体の陰極に発生した反応生成物を膜・電極接合体の陽極にポンピングすること
を更に含む、請求項２８に記載の方法。